Podtech/llm-jp-corpus-v4-ja_patent huggingface dataset:
(57)【要約】【課題】磁気カードなどを一枚づつ収容する複数のポケットを回動可能に連結したカードホルダは、自然な指先操作で全カードを一覧できて便利であるが、カードが不用意に脱落する恐れがあり、危険である。本案は、回動式カードホルダの利便性を損なわずに脱落がない安全なカードホルダを提供する。【解決手段】方形基板２と方形表板３の重ね合わせ体が上辺のカード出入れ口６を除く周辺４と、底辺７に並行に左右一対のカード受部８が融着されて基部１０とカード収容部９が形成されると共にカード受部８，８間の表板に底辺からカード収容部に至る押出し用切欠１１が形成された複数の積層カードポケットＡが、断面コ状のカバー板Ｂ内に、カード出入れ口６が背部１４内面に対面するように収容され、基部１０の一方の隅部に相当する箇所を止め具によって枢着連結する。【選択図】図１
0003107124.tif 000002
【実用新案登録請求の範囲】
【請求項１】
熱融性合成樹脂シートでなる方形基板と方形表板の重ね合わせ体の上辺カード出入れ口を除く周辺が融着されると共に底辺に並行して左右一対のカード受部が融着されて基部とカード収容部が区画されたポケット体が形成され、前記一対のカード受部間の表板に底辺から前記カード収容部に至る押出し用切欠が形成された複数の積層カードポケットと、前記カード出入れ口側に対面する背部と該背部の両側に連設し、積層カードポケットの両面を覆う一枚のカバー板とからなり、前記カバー板と積層カードポケットが前記基部のいづれか一方の隅部を貫通する止め具によって枢着連結されてなる携帯用カードホルダ。
【請求項２】
カバー板の止め具対角隅部が切欠されて回動指掛部が形成されてなる請求項１記載の携帯用カードホルダ。
【考案の詳細な説明】
【技術分野】
【０００１】
この考案は、磁気カードなど各種カードをポケットごとに収容した複数の積層カードホルダにおいて、カードが不用意に脱落しないようにした携帯に便利なカードホルダに関する。
【背景技術】
【０００２】
本出願人は、ポケット体に収容しているカードの一覧性を向上させ、更にカードの取出しを親指先だけで容易にできるカードホルダを提供した（特許文献１）。
【０００３】
このカードホルダは、カードの取出しが極めて便利であるが、カード挿入口が常時開放されているためカードが抜け出す恐れがあり、プライベートカードを携行する場合など注意が必要である。
【０００４】
【特許文献１】登録実用新案第３１０４５５２号公報
【考案の開示】
【考案が解決しようとする課題】
【０００５】
本案は、前記回動式カードホルダの操作性を確保しながら、携帯時にカードがポケットから不用意に抜け出すことがなく、無造作に持ち歩いても安全なカードホルダを提供する。
更に、各カードの回動方向を一定にしてカードの取出しを一層容易にしたカードホルダを提供するものである。
【課題を解決するための手段】
【０００６】
本案の携帯用カードホルダは、複数枚積層されたカードホルダと、これを枢着連結して収容する断面コ状のシート状カバー板とで構成される。
カードホルダは、熱融性合成樹脂シートでなる方形基板と方形表板の重ね合わせ体による袋状ポケット体の上辺がカード出入れ口とされ、底辺に並行して左右一対のカード受部が融着されて基部とカード収容部が区画形成され、前記一対のカード受部間の表板に底辺から前記カード収容部に至る押出し用切欠案内が形成されて構成される。
カバー板は、中央背部の左右に連設し、積層カードポケットの両面のみを覆う一枚のやや厚めのシートであって、積層カードポケットのカード出入れ口側に背部を対面させて折り返すことによって積層ポケットを収容するものである。
積層カードポケットと前記カバー板は、ポケット基部のいづれか一方の隅部を貫通するように止め具によって枢着連結されるが、カバー板の隅部に回動用切欠きを設ける場合は、該切欠きと対角をなす隅部に止め具を設ける。止め具用の穴を予め貫設するのは任意である。
シートは、合成樹脂製又は合成皮革など任意である。
積層カードポケットとカバー板を枢着連結する手段は、ビス又は鳩目などの簡単な止め具である。本案のカードポケット自体は、柔軟であるがカードを挿入すれば形態が保持される。
【考案の効果】
【０００７】
本案品は、カードポケットを一方向のみに３００度以上回動することが可能で、回動操作によって収容カードを一覧できる上、押出し用切欠部に露出しているカード下辺に親指を掛けるだけで容易にカードを押出せる。
更に、本案カードホルダのカード出入れ口は、カバー板の背部内面に対面しているからカードの抜け出し、脱落の恐れは全くなく、安全である。
【考案を実施するための最良の形態】
【０００８】
図中、Ａは積層カードホルダ、Ｂはカバー板、Ｃはカード、Ｄは止め具による枢着部である。
１はカードホルダ、２は熱融性合成樹脂シート又はフィルムの基板、３は表板、４は融着部、５はポケット体である。
６は上辺のカード出入れ口、７は底辺、８は底辺に並行する両側一対のカード受部であって、カード収容部９と基部１０を区画している。カード受部８，８はカードＣが収容された際、表板の上辺３Ａより僅かにカードが突出するような位置に設けられる。１１は、表板３の底辺７からカード収容部に達するカード押出し用切欠、１２は指掛部、１３は止め具用の穴である。
カバー板Ｂは、皮又は合成樹脂シートの板体であって中央背部１４の両側に面板１５，１６が対称的に連接されている。１７は止め具用の穴である。１８は、止め具穴と対角をなす隅部を切欠いて形成した回動指掛部である。
【０００９】
カードホルダ１は、５〜１０枚、積層されてカバー板Ｂ内に収容され、止め具Ｄによって枢着連結されている。
各カードホルダは、図１のＭ矢方向に３００°以上回転させても安定に保持することができるから一覧性が良好である他、必要なカードを操作するときは、図１の一点鎖線のように約４０°回動させれば確実に取り出し、挿入できるから操作上も便利である。なお、本案品は、その構成上、Ｓ方向には回動不能であり、切欠１８側にしか回動できないので取扱い上も便利である。
【図面の簡単な説明】
【００１０】
【図１】本案品の使用状態を示す上面図
【図２】同図の縦断面図
【図３】カードポケットの上面図
【図４】カバー板の展開図
【符号の説明】
【００１１】
Ａ  積層カードホルダ
Ｂ  カバー板
Ｃ  カード
Ｄ  枢着止め具
１  カードホルダ
２  基板
３  表板
４  融着部
５  ポケット
６  上辺カード出し入れ口
７  底辺
８  カード受部
９  カード収容部
１０  基部        
１１  カード押出し用切欠
１２  指掛部
１３、１７  連結穴
１４  背部
１５、１６  面板
１８  回動用指掛部
【図２】
0003107124.tif 000003
【図３】
0003107124.tif 000004
【図４】
0003107124.tif 000005
【図１】
0003107124.tif 000006
(57)【要約】【課題】個人差のある首部及び頭部の形状に添って旨く馴染むようにフィットさせることができ、また通気性や弾力性に優れ、耐久性があって、蒸れなくて使い心地の良いカットパイプ入りの枕を提供することにある。【解決手段】ニット生地の裏面に軟質ポリウレタンフォームの薄手シートを重ね合わせた表生地を用いた枕袋の中に、軟質小径パイプをカットした多量のチップを充填して封入したことを特徴とする。【選択図】      図１
0003107115.tif 000002
【実用新案登録請求の範囲】
【請求項１】
ニット生地の裏面に軟質ポリウレタンフォームの薄手シートを重ね合わせた表生地を用いた枕袋の中に、枕芯材として軟質小径パイプをカットした多量のチップを充填して封入したことを特徴とする枕。
【請求項２】
前記軟質小径パイプがポリプロピレンの小径パイプであることを特徴とする請求項１記載の枕。
【請求項３】
前記軟質ポリウレタンフォームの厚さが１５mm以下であることを特徴とする請求項１記載の枕。
【考案の詳細な説明】
【技術分野】
【０００１】
この考案は、寝具として使用する枕に関するものである。
【背景技術】
【０００２】
従来、袋状に形成された枕袋に枕芯となる詰め物をした枕は、その形状や詰め物の種類のなどで、これまでにも増して多くの種類のものが最近では市場に出回るようになっている。
【考案の開示】
【考案が解決しようとする課題】
【０００３】
しかし、従来の枕の枕袋は、生地が織物を用いることが一般的であった。また中に入れる詰め物としては、もみがら、そばがら、小豆等の豆、天然木や合成樹脂のチップ等を充填封入しているものが多く用いられてきた。これらの従来品は、個人差のある首部及び頭部の形状に旨くフィット（適合）させることが十分でない場合もあり、その他の通気性や感触、弾力性、耐久性などの点でさらに改善が求められるものであった。
【０００４】
この考案は、前記事情に着目してなされたもので、その目的とするところは、個人差のある首部及び頭部の形状に添って旨く馴染むようにフィットさせることができ、また通気性や弾力性に優れ、さらに耐久性があって、蒸れなくて使い心地の良いカットパイプ入りの枕を提供することにある。
【課題を解決するための手段】
【０００５】
この考案は前記の目的を達成するもので、請求項１は、ニット生地の裏面に軟質ポリウレタンフォームの薄手シートを重ね合わせた表生地を用いた枕袋の中に、枕芯材として軟質小径パイプをカットした多量のチップを充填して封入したことを特徴とし、請求項２は、前記軟質小径パイプがポリプロピレンの小径パイプであることを特徴とし、請求項３は、前記軟質ポリウレタンフォームの厚さが１５mm以下であることを特徴とするものである。
【考案の効果】
【０００６】
この考案の請求項１〜３に係る枕によれば、枕袋に伸縮性があってソフトな感触のあるニットの裏面に、軟質ポリウレタンフォームの薄手シートを重ね合わせた表生地を用いるので、使用者の首部及び頭部によくフィットしてこれまでに無いようなソフトな感触を生じ、その上で通気性や弾力性にも優れ、また使用時のむれもなく、心地よい安眠を与える枕を提供することができる。
【考案を実施するための最良の形態】
【０００７】
以下、この考案の実施の形態を図面に従い具体的に説明する。
【０００８】
この実施例の枕は、袋状に形成された枕袋１の内部に、枕の芯材５となる詰め物５ａを充填し、前記枕袋１の袋口１ａを縫着閉塞して前記詰め物５ａを枕袋１内に封入したものである。枕袋１は、外側をニット生地２として、その内側に通気性を有する軟質ウレタンフォームの薄手のシート３を単に重ね合わせた枕生地素材４ａ，４ｂを用い、その縁部を一体に縫い合わせて袋状としたものである。ここに用いる軟質ウレタンフォームの厚さは１５mm以下とし、好ましくは１０mm以下とする。また、この枕袋１の中に充填する詰め物５ａは、軟質小径パイプをカットしたチップで、例えば軟質ポリプロピレンで、直径４mm、長さ８mmのものである。なお、図１ではソフトパイプのチップの詰め物５ａを図解の便宜上、過疎の状態で示しているが、実際には枕袋１が図示の如く膨らむように枕袋１内に多数個の詰めもの５ａが密の状態に充填封入される。
【０００９】
前記枕袋１は、所定の大きさに裁断した上下２枚の枕生地素材４ａ，４ｂを、表生地のニット２，２同士が接合する状態に重ね合わせ、その重ね合わせた素材４ａ，４ｂの左右・上下の側縁部を、一端縁の袋口１ａを除いて縫着６して袋状に形成し、これを表生地２が外になりポリウレタンフォームシート３が内になるように裏返し、図１の状態になるようにして構成する。
【００１０】
なお、この考案は前記実施形態そのままに限定されるものではなく、実施段階ではその要旨を逸脱しない範囲で構成要素を変形して具体化できる。また、前記実施形態に開示されている複数の構成要素の適宜な組合せにより種々の考案を形成できる。例えば、実施形態に示される全構成要素から幾つかの構成要素を削除してもよい。さらに、異なる実施形態に亘る構成要素を組合わせてもよい。
【図面の簡単な説明】
【００１１】
【図１】この考案の一実施例を示す要部切欠斜視図。
【符号の説明】
【００１２】
１…枕袋、１ａ…袋口、２…ニット生地、３…軟質ポリウレタンフォームの薄手シート、４ａ，４ｂ…枕生地素材、５…枕芯材、５ａ…カットパイプ（ポリプロピレン製）。
【図１】
0003107115.tif 000003
(57)【要約】      （修正有）【課題】印材本体が多少傾動しても、印字面がずれないようにした印材の提供。【解決手段】本体の開口部へ、印字すべき印盤を、軸心方向へ弾力支持すると共に、本体へ、印盤を傾動可能に取付けた印材。【選択図】図１
0003107182.tif 000002
【実用新案登録請求の範囲】
【請求項１】
本体の開口部へ、印字すべき印盤を、軸心方向へ弾力支持すると共に、前記本体へ、前記印盤を傾動可能に取付けたことを特徴とする印材。
【請求項２】
外壁に家紋を有する有頂筒状の本体の開口部へ、印字すべき印盤を、軸心方向へ弾力支持すると共に、前記本体へ、印盤を傾動可能に取付けたことを特徴とする印材。
【請求項３】
印字の正面方向と一致する外壁位置に、家紋を有する有頂筒状の本体の開口部へ、印字すべき印盤を、軸心方向へ弾力支持すると共に、前記開口部内へ、支持板を固定し、該支持板の中央孔へ印盤の固定ビスを傾動可能に取付けたことを特徴とする印材。
【請求項４】
印字の正面方向と一致する外壁位置に家紋を有する有頂筒状の本体の開口部内へ支持板を固定し、該支持板へ印字すべき印盤の固定ビスを傾動可能に取付けると共に、前記支持板と印盤との間に弾性リングを介装して、印盤を軸心方向へ出入自在に弾力支持したことを特徴とする印材。
【考案の詳細な説明】
【技術分野】
【０００１】
この考案は、筒体の開口部に印字用の印盤を、傾動自在に取付け、捺印時に印字面がずれないようにした印材に関する。
【背景技術】
【０００２】
従来印鑑については、各種構造が提案されているが、何れも印字面と、本体とは固定（一体）されている。
【特許文献１】実開平６−５７６６０
【特許文献２】実開昭５５−１４４０６２
【考案の開示】
【考案が解決しようとする課題】
【０００３】
前記従来の印鑑は、印字面と本体とが一体化されている。
【０００４】
前記印鑑は、比較的簡易に連続捺印できる特徴を有する反面、印面と捺印面（紙面）が必ずしも平行にならない場合があって、捺印状態のままずれる為に、印字がずれて不明瞭になるおそれがあった。
【０００５】
また、この考案は、家紋によって、印字の正しい方向を示すようにして、連続、高速捺印に際しても、正しく捺印できるようにしたものである。
【課題を解決するための手段】
【０００６】
この考案は、印材の軸心に対し、印面が傾動自在になるようにして、前記従来の問題点を解決したのである。
【０００７】
また、印材本体の外壁に、印字の正しい方向に一致させて家紋を固定することにより、印字を常時正しい方向を保って捺印できるようにして、前記従来の問題点を解決したのである。
【０００８】
即ちこの考案によれば、本体の開口部へ、印字すべき印盤を、軸心方向へ弾力支持すると共に、前記本体へ、前記印盤を傾動可能に取付けたことを特徴とする印材であり、外壁に家紋を有する有頂筒状の本体の開口部へ、印字すべき印盤を、軸心方向へ弾力支持すると共に、前記本体へ、印盤を傾動可能に取付けたことを特徴とする印材である。
【０００９】
また他の考案は、印字の正面方向と一致する外壁位置に、家紋を有する有頂筒状の本体の開口部へ、印字すべき印盤を、軸心方向へ弾力支持すると共に、前記開口部内へ、支持板を固定し、該支持板の中央孔へ印盤の固定ビスを傾動可能に取付けたことを特徴とする印材であり、印字の正面方向と一致する外壁位置に家紋を有する有頂筒状の本体の開口部内へ支持板を固定し、該支持板へ印字すべき印盤の固定ビスを傾動可能に取付けると共に、前記支持板と印盤との間に弾性リングを介装して、印盤を軸心方向へ出入自在に弾力支持したことを特徴とする印材である。
【００１０】
この考案は、前記構造としたので、捺印時に押圧角度に多少のずれがあっても、印面は紙面と密着してずれるおそれはない。
【００１１】
また家紋と、印字との方向を一致させたので、家紋を正しい方向に向ければ、正しく捺印されることになり、この考案の目的を達成した。
【００１２】
この考案で使用する印材は、例えば木材、象牙、水牛骨、チタンその他従来使用されている材料は総て使用できる。
【考案の効果】
【００１３】
この考案は請求項１により、印面を紙面等へ弾力的に押しつけるので、本体が多少傾動しても印面がずれるおそれがない効果がある。従って、十分の注意力を傾注しなくても、正しく捺印することができる効果がある。
【００１４】
また家紋位置と、印字方向とを一致させたので、無作為に捺印しても、正しい方向を向けて捺印できる効果がある。
【考案を実施するための最良の形態】
【００１５】
この考案は、印字の正面方向と一致する外壁位置に家紋を固定した本体の開口部へ、印字すべき印盤を、軸心方向へ弾力支持すると共に、前記開口部へ支持板を固定し、該支持板の中央孔へ印盤の固定ビスを傾動可能に取付け、前記本体の中央部へ、インクを吸収したスポンジ片を収容してこの考案の印材を完成した。
【実施例】
【００１６】
この考案の実施例を図面について説明すると、合成樹脂製の有頂の筒体１の開口部１ａの内側へ、印盤３を、弾性リング４介装のもとに、ビス５で固定した支持板２を固定する。前記支時板２は開口部１ａの段部１ｂへ、円形の支持板２（周辺に接着剤塗布）を嵌入、当接固定すれば、この考案の印材９ができる。
【００１７】
前記支持板２、弾性リング４及び印盤３は、ビス５で一体化されているので、前記支持板２を固定することにより、印盤３も固定される。
【００１８】
前記ビス５の外径よりも、支持板２の中央孔６を大きくしたので、ビス５は、中央孔６内で多少傾動できるようにしてある。
【００１９】
前記本体１の外壁には、印字の方向と一致させて家紋７が固定してある。前記家紋７により、印面の印字の方向が一致するので、捺印者は、家紋の方向を合わせて捺印すれば、常時正しく捺印することができる。
【００２０】
前記において、捺印面８に対し、本体がθ角だけずれたとしても、印盤面（印字）は捺印面８と当接しているので、印字面がずれるおそれはない（図２）。
【図面の簡単な説明】
【００２１】
【図１】（ａ）この考案の実施例の一部を切断した正面図、（ｂ）同じく平面図。
【図２】同じく本体の傾動時の状態を示す説明図。
【符号の説明】
【００２２】
１  本体
２  支持板
３  印盤
４  弾性リング
５  ビス
６  中央孔
７  家紋
９  印材
【図１】
0003107182.tif 000003
【図２】
0003107182.tif 000004
(57)【要約】      （修正有）【課題】建築現場の木片を利用し、且つ測定精度を向上した“ばか棒”を提供する。【解決手段】視準表示板１には、スケール目盛りａ、基準点マークｂ、数字ｃ、等の視準定規表示面１０を形成し、４隅部に貫通孔（例えば、３ｍｍΦの丸孔貫通孔）１１を形成している。表面側の視準定規表示面１０は垂直方向表示として、水準測量用とする。表面側にも視準定規表示部１０を形成する。【選択図】図１
0003107189.tif 000002
【実用新案登録請求の範囲】
【請求項１】
長方形状の硬質合成樹脂板の表面に、スケール目盛り、基準点マーク、数字等を表示してなる視準定規表示面を形成し、４隅部に貫通孔を形成したことを特徴とする視準定規板。
【請求項２】
視準定規表示面を硬質合成樹脂板の裏面に形成し、片方を垂直表示の視準定規表示面とし、他方を水平表示の視準定規表示面としたことを特徴とする請求項１に記載する視準定規板。
【考案の詳細な説明】
【技術分野】
【０００１】
本願考案は、建築工事に際しての水平線確認、鉛直線確認のための、トランシット測量、レベル測量において、測定ポイントを求めるためのポール、スケール等に代わるばか棒に関するものである。
【背景技術】
【０００２】
この種のばか棒として、実開平６−２８６２７号公開実用新案公報「視準定規標尺式ばか棒」（特許文献１）および特開２００３−３２９４５５号公開特許公報「移動式スタック付きスタック」（特許文献２）が公知である。
【０００３】
【特許文献１】実開平６−２８６２７号公開実用新案公報
【特許文献２】特開２００３−３２９４５５号公開特許公報
【考案の開示】
【考案が解決しようとする課題】
【０００４】
特許文献１（実開平６−２８６２７号公開実用新案公報）「視準定規標尺式ばか棒」は、ばか棒本体の溝内を視準定規を移動自在として構成している。特許文献２（特開２００３−３２９４５５号公開特許公報）「移動式スタッフ付きスタッフ」は、本体スタッフに小型スタッフを移動自在として構成している。
上記の公知技術は、ばか棒本体、本体スタッフを必要とすることで、測定作業準備、測定後の機材回収に、労力を要する問題点がある。
【０００５】
また、建築現場において、不要となった木片に筆記具で基準ポイントを記入して“ばか棒”を構成することが公知である。不要となった木片を利用することで、上記の問題点を解消するものであるが、作業者が基準ポイントをマジックインク、筆等の筆記具で記入するものであるため、測定精度が低い問題点がある。
【０００６】
よって、本願考案は、建築現場の木片を利用し、且つ測定精度を向上した“ばか棒”を提供することを課題とする。
【課題を解決するための手段】
【０００７】
本願考案は、基準線、文字、数字等を表示した長方形表示板の４隅部に貫通孔を形成してなる視準定規板を提供する。
【考案の効果】
【０００８】
本願考案は、視準定規板の貫通孔を使用して、建築現場の木片に視準定規板をくぎ打ち固定することにより、現場において簡単に“ばか棒”を製作できて、測定機材準備、測定後の機材回収の労力を低減する効果を有するとともに、基準線、文字、数字等の視準定規表示面を硬質合成樹脂板に形成したので、基準線等の変形がなく常に測定精度を向上することができる効果を有する。
【考案を実施するための最良の形態】
【０００９】
長方形状の硬質合成樹脂板の表面に、スケール目盛り、基準点マーク、数字、等の視準定規表示面を形成し、４隅部に貫通孔を形成する。
【実施例】
【００１０】
以下図面に示す実施例にもとづいて、本考案を詳細に説明する。
図１を参照して、１は本考案の実施例を示す視準表示板で、長方形状の硬質合成樹脂板（例えば、幅５ｃｍ、長さ１２ｃｍ、厚さ３ｍｍの長方形硬質プラスチック板）である。
【００１１】
前記視準表示板１には、スケール目盛りａ、基準点マークｂ、数字ｃ、等の視準定規表示面１０を形成し、４隅部に貫通孔（例えば、３ｍｍΦの丸孔貫通孔）１１を形成している。
【００１２】
図１の実施例においては、表面側の視準定規表示面１０は垂直方向表示として、水準測量用とする。
【００１３】
更に、実施例においては、裏面側にも視準定規表示面１０を形成するが、裏面側の視準定規表示面１０は水平方向として、図２を参照して、スケール目盛りａ‘、基準点マークｂ’数字ｃ‘および補助表示ｄ’で視準定規表示面１０’を形成する。
【００１４】
上記の視準定規表示面１０の形成にあたっては、スケール目盛りａ、基準点マークｂ、数字ｃ等をコンピュータ印字で形成したが、各種の公知の印刷技術を適用できるものである。化学的、機械的刻印技術を適用すると、作業現場の汚染環境での長期反復使用に有利である。
【００１５】
図３および図４は、“ばか棒”としての使用態様を示し、建築現場に散乱する角材、目地棒等２の適所に、本考案の視準表示板１を、貫通孔１２を使用して、くぎ３を介して、固定することでばか棒Ａを完成する。
【００１６】
図３は、水準測定用、図４は水平度測定用である。
図３および図４において、ｂ図は角材（目地棒等）２が細い場合を示し、貫通孔１２の片側のみを使用する。通常は、ａ図に示すごとく、４個の貫通孔１２をすべて使用する。
【００１７】
前記ばか棒により、所定間隔でレベル基準を設定することで、建築の墨出しによる水平線を決定や、型枠大工の下地のレベル出しを行う。
【００１８】
本考案の視準表示板１は硬質硬質合成樹脂板で製作されていることで、視準定規表示面（特にスケール目盛り、基準点マーク等）を常に正確に維持することがでせき、上記の墨出し等は、半永久的に正確に行うことができる。
【図面の簡単な説明】
【００１９】
【図１】本考案の実施例を示す視準表示板の正面側の斜視図。
【図２】同じく背面側の斜視図。
【図３】本考案の視準表示板を使用したばか棒を、垂直状態で示す正面図で、ａ図は使用する角材（目地棒等）が太い場合、ｂ図は使用する角材（目地棒等）が細い場合を示す。
【図４】同じく水平状態で示す正面図で、ａ図は使用する角材（目地棒等）が太い場合、ｂ図は使用する角材（目地棒等）が細い場合を示す。
【符号の説明】
【００２０】
１    視準表示板
２    角材（目地棒等）
１０  視準定規表示面
１１  貫通孔
１２    くぎ
Ａ    ばか棒
【図１】
0003107189.tif 000003
【図２】
0003107189.tif 000004
【図３】
0003107189.tif 000005
【図４】
0003107189.tif 000006
(57)【要約】【課題】適当な長さを切り取りながら使用する紐束において、紐束の残りが最後まで絡まずに使用でき、ポケット等の中に入れてもポケット内の他の物とも絡まない紐束を提供することを目的とする。さらに、作業時において、身体の屈伸なく、常に紐の先端が手の届くところにあることにより、より作業がスムーズになることを、目的とする。【解決手段】紐束を収納袋に入れ、紐束の中心端を収納袋に設けた通過口から引き出すこと事を、最も主要な特徴とする。 【選択図】        図２   
0003107147.tif 000002
【実用新案登録請求の範囲】
【請求項１】
巻いた紐束と、紐束を収納する収納袋を有し、収納袋には紐束から引き出した紐の通過する通過口を設け、収納袋の中に収納した紐束の中心端を収納袋の通過口から引き出すことを特徴とするポケット紐束。
【考案の詳細な説明】
【技術分野】
【０００１】
本考案は、紐の束をポケット等に入れ、紐を必要な長さだけ引き出して使用するポケット紐束に関するものである。
【背景技術】
【０００２】
従来、農作業時、又は新聞を絡める時などさまざまな場面に紐が使用されている。多くの場合、紐は巻きつけられ紐束となっており、巻きつけられた紐束の外側端、又は中心端を引き出し使用していた。
【０００３】
巻きつけられた紐束の外側端から使用する場合、必要な長さの紐が切り取られ、残りの紐束をかたずける際、紐の外側端切り端を固定しにくく、また紐束外側の巻きつけが緩み、紐が絡むことが多かった。
【０００４】
また、巻きつけられた紐束の中心端を引き出し使用する場合は、使用当初は問題ないが、紐が少なくなってきたとき、巻きつけられた紐束の外郭が崩れ、紐が絡むようになっていた。
【０００５】
したがって、巻きつけられた紐束から紐を引き出し使用するとき、途中まで切り取り使用された残りの紐束の紐が絡まない紐束が望まれている。 
【０００６】
また、適当な長さの紐をポケットに入れ、ポケットから紐を取り出し必要な長さに何回かにわたって切断しながら使用する時、ポケットの中の紐が紐同士で絡む、又はポケット内の別の物と絡み、絡みを解すことに時間ばかりかかる事も多くあった。 
【０００７】
したがって、ポケット等の中に入れても、紐同士が絡まない。さらにはポケット内の別の物とも絡まない紐束が望まれている
【非特許文献１】なし
【考案の開示】
【考案が解決しようとする課題】
【０００８】
解決しようとする問題点は、適当な長さを切り取りながら使用する紐束において、紐束の残りが最後まで絡まずに使用でき、ポケット等の中に入れてもポケット内の他の物とも絡まない紐束を提供することを目的とする。
【課題を解決するための手段】
【０００９】
上記課題を解決する為、紐束を収納袋に入れ、紐束の中心端を収納袋に設けた通過口から引き出すこと事を、最も主要な特徴とする。
【考案の効果】
【００１０】
作製したポケット紐束は、紐束の中央端から引き出して使用すること、また、収納袋内に紐が入れてあることにより、紐束の残りが最後まで絡まずに使用でき、ポケット等の中に入れてもポケット内の他の物とも絡まない紐束を提供することができる。
【考案を実施するための最良の形態】
【００１１】
以下、本考案に係るポケット紐束の実施の形態について詳細に説明する。ここで述べる紐とは、材料は問わず、糸程度の太さ以上であるもの。プラスチック材料を使用した薄膜状のフィルム紐等も含む。
【実施例】
【００１２】
まず、紐束１は中央端２を支持し、その周囲に紐を巻きつけ作製する。巻きつけ方法は、中央に巻きつけ部材を配し、巻きつけ部材の周囲に紐を巻きつけ、巻き付け終了後、巻きつけ部材を紐束１から外す作製もある。 
【００１３】
巻きつけた紐束１は、巻きつけの中央端２を収納袋４の通過口５から出した状態にて、収納袋内に収納する。
【００１４】
巻きつけた紐束１を、収納袋４内に収納する時、紐束１の周囲を包装部材にて包むように作製する場合と、収納袋４内に紐束を挿入し作製する場合がある。
【００１５】
収納袋４のサイズは、ポケットティッシュ程度の大きさが望ましいが、大きさに限定はない。
【図面の簡単な説明】
【００１６】
【図１】本考案に係る紐束の巻きつけ状態を示した説明図である。
【図２】本考案に係るポケット紐束の状態を示した説明図である。
【符号の説明】
【００１７】
１    紐束
２    中央端
３    外側端
４    収納袋
５    通過口
【図１】
0003107147.tif 000003
【図２】
0003107147.tif 000004
(57)【要約】      （修正有）【課題】速度規制標識は通常車両運転者に見えなければならない標識である。近年の高速道路および一般道路においては車線数が多くなり、また高い遮音壁の設置により標識板が高い位置に、そして張り出し型が多くなってきた。このような中で道路の補修工事等行なう場合、当該箇所区間の規制速度のみを解除しなければならない。そのために現在は作業員が高所作業車または、支柱をよじ登って標識板にカバーまたは遮蔽板を取り付けている。【解決手段】本製品は、速度規制標識１の前面に瞬間調光ガラスを有する。瞬間調光ガラスの特性を利用し、通常時はガラスに通電し標識の表示内容が黙認できるが、工事等で規制速度を解除しなければならない時は、通電断にすることにより瞬時に標識の表示内容をみえなくするものである。また手元操作箱６は標識支柱３または、道路端に支柱等を建てそれに取り付けることにより地上からの遠隔操作を行うことが出来る。よって従来目隠しに要した時間および危険な作業、そして経費等を大幅に短縮できる。【選択図】図１
0003107148.tif 000002
【実用新案登録請求の範囲】
【請求項１】
高速道路および一般道路に設置してある速度規制標識等に使用するもので標識板の前面に目隠し装置を取付ける。目隠し装置は瞬間調光ガラスを使用し、当ガラスの持つ特質を利用し、瞬時に標識板の表示内容を透視もしくは遮蔽するもので、本体と手元操作箱からなり、それぞれは電源ケーブルにて連結されており遠隔にて制御できる。
【考案の詳細な説明】
【技術分野】
【０００１】  本考案は、高速道路および一般道路に設置してある速度規制標識の表示内容を道路工事により当該場所のみ規定の速度を解除したい場合に、手元のスイッチで遠隔操作にて目隠しを行うことが出来るため、作業員の危険な作業と作業時間の短縮により作業員の労働を軽減させることおよび経費節減に関するものである。
【背景技術】
【０００２】  道路に設置してある速度規制標識は、数基の標識板を１ブロックとしてブロック毎に中央監視所で制御を行っているため、道路工事等作業を行う場合当該箇所のみ速度規制を解除しなければならない場合がある。
よって、今までの作業では、速度規制標識にカバーまたは遮蔽板を取付けるのに高所作業車を使用した。または作業員が標識をよじ登り取付けを行なっているため、危険であり作業時間に多大の時間を要し、経済的に非常な損失である。
【考案が解決しようとする課題】
【０００３】  本考案は、現在人の手で速度規制標識に目隠し覆いを掛ける作業を行っているものを、手元の操作スイッチにより遠隔操作で速度規制標識の表示の目隠しを、瞬時に行なうものである。
【課題を解決するための手段】
【０００４】  本考案は、瞬間調光ガラスを用い電気を通電、遮断することにより当ガラスが持つ透明から不透明に変化させる特性を利用し、瞬間的に透明性をコントロールする事により標識の表示文字の目隠しを行う、または目隠しを解除するものである。
【考案の効果】
【０００５】  上述のように、本考案の標識板自動目隠しは、遠隔操作により地上より標識板の表示の視認性を制御するため、高所および図２に示すように張り出しにある速度規制標識の目隠し取付け作業にかかる大幅な時間と、作業員の危険作業、重労働の軽減を大幅に図ることが出来る。
【０００６】  速度規制標識の設置場所により、高所に設置してある場合は高所作業車を使用しなければならないが、本考案により今後は高所作業車が不要となり、大きな経費節減ができる。
【考案を実施するための最良の形態】
【０００７】  図１に示すように標識板の前面に瞬間調光ガラスを取付けたものである。この瞬間調光ガラスが遮蔽した時に標識板より表示内容が確認できないだけの離隔距離を保持する。その離隔距離は設置場所により太陽光等の影響を受けるため、それぞれに適した距離とする。また、操作スイッチは密閉された箱に収納され、標識の支柱または道路端の車両の事故による損傷を受けにくい場所に支柱等を立て固定する。この操作スイッチは一般者のいたずらを防止するため鍵を有するものとする。
【実施例】
【０００８】  考案の実施の形態を実施例に基づき図面を参照して説明する。図１に示すように速度規制標識の前面に目隠し板５を標識板から一定の離隔距離Ｌを持たせ目隠し板の瞬間調光ガラスが電源断になった時に標識の文字が遮断され確認できないものとする。【０００９】  目隠し板は、上部に２箇所の取付けフック８を有し、標識板の端部に引っ掛け下部止め金１０を下部取付けフック９と下部止め金固定ピン１２で連結する。そして、目隠し板５が風、振動等でずれないよう固定ネジ１１で標識板に堅固に固定する。【００１０】  図１では、手元操作箱６は支柱３に取付け例として示しているが、別途支柱を建て操作し易い場所に設置することも可能である。また、操作にあたってはリモコンによることも可能である。【００１１】  目隠し板５の電源は既設の制御機１３よりケーブル１４で供給する。
【図面の簡単な説明】
【００１２】
【図１】本考案の実施形態の正面図、側面図である。
【図２】張り出し型正面図である。
【図３】目隠し装置取付け詳細図である。
【符号の説明】
【００１３】  １．速度規制標識
２．速度規制補助版
３．標識支柱
４．アーム
５．目隠し板
６．手元操作箱
７．目隠し枠
８．上部取付けフック
９．下部取付けフック
１０．下部止め金
１１．固定ネジ
１２．下部止め金固定ピン
１３．規制標識制御機
１４．ケーブル
【図１】
0003107148.tif 000003
【図２】
0003107148.tif 000004
【図３】
0003107148.tif 000005
【手続補正書】
【提出日】平成16年7月23日(2004.7.23)
【手続補正１】
【補正対象書類名】実用新案登録請求の範囲
【補正対象項目名】全文
【補正方法】変更
【補正の内容】
【実用新案登録請求の範囲】
【請求項１】
本装置は、道路に設置してある速度規制標識等の標識板１の前面に取付け使用するもので，目隠し板５は瞬間調光ガラスの特性を利用し電気を通電すると透明になり表示内容が透けて見え、逆に電気を断にすると不透明となり表示内容が見えにくくなり、この場合見えなくするために標識板１との必要な離隔距離Ｌを有することを特徴とする標識板自動目隠し装置。
【請求項２】
請求項１の装置は，目隠し板５、手元操作箱６からなりそれぞれは電源および制御ケーブル１４で連結されており直接手元操作箱６にて操作ができるが、リモートコントロール操作にて遠隔操作も可能であることを特徴とする標識板自動目隠し装置。
(57)【要約】【課題】本考案は、容易に収納できる機能性とデザイン性を備え、かつパン生地の発酵に必要な保温性・保湿性を十分に確保するパン生地発酵器を提供することを目的とする。【解決手段】保湿性・保温性に優れた生地を組み合わせることによって箱状のケースを形成し、発酵させるパン生地を専用の下敷きマットの上に置き、前記のケースを被せることにより密閉性を高め、発酵ケースを取り除かなくてもパン生地の発酵状態を確認できるように、透明ビニールの窓をつけ、箱内の温度が確認できるように、温度計を差し込むための穴と温度計を支えるためのベルトとからなるものである。【選択図】    図１
0003107150.tif 000002
【実用新案登録請求の範囲】
【請求項１】
（イ）保湿性・保温性のある複数の生地の組み合わせによって箱状のケースを形成する。
（ロ）パン生地の発酵状態が確認できるように、透明ビニールの窓をつける。
（ハ）箱内の温度が確認できるように、温度計を差し込むための穴と温度計を支えるためのベルトをつける。
以上の構成よりなるパン生地発酵ケース。
【考案の詳細な説明】
【技術分野】
【０００１】本考案は、一般家庭において用いられるパン生地発酵器に関するものである。
【背景技術】
【０００２】近年、家庭でも手軽にパンを作るための便利な発酵器として、ボックスタイプのパン生地発酵器が開発されている。このパン発酵器は、前面が開放された容体内の左右に複数段の支持板を設け、その支持板にセットした棚板上にパン生地をのせたトレーを置き、さらに前記容体の底部には、庫内の熱源となる電熱ヒーターを一体に備えたものである。
そして、パン生地の発酵使用時には、複数の板材により折りたたみ不可能に形成されたボックスタイプであるため、とかくスペースの狭いキッチンが多い日本の家庭にあっては、コンパクトとはいえ常時設置したままでは未使用時にも場所を取り、日常の炊事作業の邪魔になることが多かった。
それを解消するものとして家庭の狭いキッチンであっても電源を使わないで機能的に使え、かつ折りたたみと組み立てが可能な簡易的な折たたみ式パン生地醗酵器が公知となっている。
このような公知技術として、特開２００１−３４６５０２号公報がある。
【考案の開示】
【考案が解決しようとする課題】
【０００３】これらのパン発酵器は一応の利便をなすものであるが、デザイン性に乏しく、また収納にあたってかなりの手間と時間を必要とする。また、板状の構成物を組み合わせるため価格的にも安価とは言えない。
そこで本考案は、もっと手軽に収納でき、デザイン性および機能性を求めた発酵器を提供することを目的とする。
本考案は、パン生地の発酵器を保湿性および保温性に優れた柔軟な生地で作ることによってこれらの問題を解決するために考案されたものである。
【課題を解決するための手段】
【０００４】本考案は、従来の問題を解決するため、保湿性・保温性に優れた生地を組み合わせることによって箱状のケースを形成する。発酵させるパン生地を専用の下敷きマットの上に置き、前記のケースを被せることにより密閉性が高まる。発酵ケースを取り除かなくてもパン生地の発酵状態を確認できるように、透明ビニールの窓をつける。箱内の温度が確認できるように、温度計を差し込むための穴と温度計を支えるためのベルトをつける。
【考案の効果】
【０００５】本考案は、家庭におけるパン生地の発酵を、従来よりも安価にかつ機能的に行うことができる。強靭な板状の構成物を使用しないため、製品化した場合に価格が抑えられ、折りたたみ可能に形成するため、使用後に容易に収納することができる。また、ナイロンなど色および柄の選択において比較的自由な材料を用いるため、製品化された場合の嗜好要求に柔軟に対応できる。
【考案を実施するための最良の形態】
【０００６】以下、本考案の一実施形態を添付図面に基づいて説明する。図１（ａ）に示すように、発酵ケース本体１は、ナイロンなど比較的強靭でありながら柔軟な材料からなり、底面側開口の矩形ボックス状をなし、のぞき窓２より、パン生地の発酵状態を視認することができる。矩形ボックス内側は、のぞき窓２の部分を除く全体をアルミフィルムで覆い、保温性・保湿性を確保している。形状安定用棒６を形状安定用棒入れ３に挿入することで、主に発酵ケース本体１の側面の形状を安定させ、発酵ケース本体１内の温度・湿度を一定に保つことができる。発酵ケース本体１の側面上部に温度計差し入れ穴４を備え、市販の温度計７を挿入して発酵ケース内部の温度を詳細に把握することができる。市販の温度計７は温度計固定ベルト５によって、温度計差し入れ穴４に挿入後の姿勢を安定させることができる。【０００７】  図２（ａ）に示すように、発酵ケース本体１は、上面部谷折り線８、側面部谷折り線９、上面部山折り線１０を目安に図２（ｂ）に示すように折りたたむことができるよう形成する。【０００８】  図３に示した専用下敷きマット１１は、パン生地が付着しないように剥離性を有する材料で表面を覆われ、発酵ケース本体１の底面側開口面よりわずかに小さく、発酵ケース本体１によって完全に覆われるように形成する。
【図面の簡単な説明】
【０００９】
【図１】本考案の発酵ケース本体を示す（ａ）斜視図、（ｂ）側面図
【図２】本考案の一実施例を示す（ａ）展開時の斜視図、（ｂ）折りたたみ時の斜視図
【図３】本考案の専用下敷きマットの斜視図
【符号の説明】
【００１０】  １  発酵ケース本体
２  のぞき窓
３  形状安定用棒入れ
４  温度計差し入れ穴
５  温度計固定ベルト
６  形状安定用棒
７  温度計
８  上面部谷折り線
９  側面部谷折り線
１０  上面部山折り線
１１  専用下敷きマット
【図１】
0003107150.tif 000003
【図２】
0003107150.tif 000004
【図３】
0003107150.tif 000005
(57)【要約】      （修正有）【課題】背上げタイプの介護用ベッド、それに類するベッドにおいて、背の部分を起こした時、枕がずり落ちるのを防止する紐状固定具を提供する。【解決手段】緩やかな山におりまげた平ゴム２の両端にピンチ１を取り付け、山の頂上部分にストッパー４を装着した輪状の紐３を取り付ける。この固定具は輪状の紐部分をベッドに固定したのちピンチで枕の二端を挟んで使用する。【選択図】図２
0003107149.tif 000002
【実用新案登録請求の範囲】
【請求項１】
固定力の強いピンチ（１）を片端に取り付けた二本の平ゴム（２）あるいはそれに類した紐状の物を山型に繋ぎ合わせ、山型の頂上部分に輪状の紐（３）の一端を固定し、紐のもう一端にスライド自由にストッパー（４）を装着した後、先端に球状部分（５）を形成した、Ｙ字型紐状枕ずり落ち防止固定具。
【考案の詳細な説明】
【技術分野】この考案は、病院や介護施設において、背上げタイプの介護用ベッドなどに用いる枕への補助装置に関する。
【背景技術】従来の病院、施設のベッドには枕滑り落ち防止の補助装置が設けられていない。そのためベッドの背を上げて食事を摂る際、あるいは休息・読書、見舞い客との歓談などの折、常に枕のずり落ちを気にすることとなる。また重度の患者の場合は、看護士・介護者が枕の位置をいつも気遣い、安定させておかなければない。
【考案の開示】
特開２００２−１４２９１８    公開特許広報
【考案が解決しようとする課題】
背上げタイプの介護用ベッドそれに類するベッドにおいて、背の部分を起した時、枕がずり落ちるのを防止することで、患者本人が心地よく療養に専念することができ、看護士・介護者はそれぞれの仕事を軽減することができるようにする。
【課題を解決するための手段】
Ｙ字型の紐状固定具を使用する。固定具の形状は、長さ６０ｃｍほどの平ゴムの中央を緩やかな山型に折り曲げて固定したものの両端に固定力の強いピンチをそれぞれ取り付け、折り曲げた山の頂上に６０ｃｍ程の輪状の紐の一端を固定し、紐のもう一端に長さを好みに調節するためのストッパーをスライド自由に装着した後、先端に球状部分を形成する。この固定具の輪状の紐部分を自分の好みの長さに調節した後、ベッドの裏側にある隙間あるいは穴を通して固定する。平ゴムの部分をベッドの前面にまわしピンチで枕の両端をそれぞれ挟み込むことで枕のずり落ちを防止できる。
【考案の効果】
この固定具によって、患者およびベッド使用者はベッドの背をあげた時に、ずり落ちてくる枕をいつも肩で支えている必要が無くなり、姿勢を変えるたびにずり落ちてしまう枕の不便さからも解放される。またこの固定具によって看護士あるいは患者に付き添っている介護者の仕事を軽減させ、患者とその周りにゆとりを生み出して、お互いの間によりよい関係を築いていくことができる。
【考案を実施するための最良の形態】
【実施例１】紐状固定具の輪状の部分をベッドの裏側に固定した後、平ゴム部分を前面にまわしてピンチで枕の端二箇所所を固定する。
【産業上の利用の可能性】
病院・介護施設および在宅介護等、背上げタイプのベッドを使うすべての場面で広く利用される可能性がある。この考案は簡単な材料と単純な技術で造る事ができ、そこから生まれる便利さ手軽さ快感は使用者すべてに十分な満足感を与えるものと思われる。
【図面の簡単な説明】緩やかな山型に折り曲げた平ゴムの両端にピンチを取り付け、折り曲げた山の頂上にストッパーを装着した輪状の紐を取り付ける。【図１】形状
【図２】使用参考例（側面図）
【図３】使用参考例（正面図）
【図４】ベッド裏側から見た図
【符号の説明】
（１）ピンチ
（２）平ゴム
（３）輪状の紐
（４）ストッパー
（５）球状部分
【図１】
0003107149.tif 000003
【図２】
0003107149.tif 000004
【図３】
0003107149.tif 000005
【図４】
0003107149.tif 000006
(57)【要約】【課題】  香料と浸透材を収容した小さな円筒状の容器を、ブーケや衣服のポケット、帽子の飾りに見えないように取り付けることによって香りが長時間持続する香料容器を提供する。【解決手段】  上部が開口された円筒体の中間部分に括れ部２を設けることによって括れ部の上部に浸透材収容部３を形成し、括れ部３の下部に香料収容部１を形成し、前記浸透材収容部３に浸透材４を収納し、香料収容部１に液体の香料６を収納し、括れ部２に取付用具５を取り付けたことを特徴とする。【選択図】        図１
0003107146.tif 000002
【実用新案登録請求の範囲】
【請求項１】
上部が開口された円筒体の中間部分に括れ部を設けることによって括れ部の上部に浸透剤収容部を形成し、下部に香料収容部を形成し、前記浸透剤収容部に浸透材を収納し、香料収容部に液体の香料を収納し、括れ部に取付用具を取り付けたことを特徴とする香料容器。
【考案の詳細な説明】
【技術分野】
【０００１】  本考案は、冠婚葬祭等のセレモニーやパーティー等に出席する際、その会場に相応しい香料が密かに発散するように、又、セレモニーやパーティーが終了した後も室内装飾として香りを漂わせるようにブーケや衣服のポケットに忍ばせておく小型の香料容器に関するものである。
【背景技術】
【０００２】  従来、香料はセレモニーやパーティー等に限らず、外出する際、衣服等に香料を付けることは儀礼的習慣として可なり以前から行なわれていた。
【考案の開示】
【考案が解決しようとする課題】
【０００３】  しかし、香料を身辺に漂わせる方法はセレモニーやパーティーに出席する際、従来は前もって噴霧器等を使って香水を霧状にして衣服に付着させるものであった。
従って時間の経過と共に香料の効果は次第に薄れるので、効果を持続させるためには別途香料を用意し、補給しなければならなかた。
本考案はに香料と浸透材を収容した小さな円筒状の容器をブーケ（衣服や帽子、手に持つ花束等）や衣服のポケット帽子の飾りに見えないように取り付けることによって香りが長時間持続する構成の香料容器を提供することを目的とする。
【課題を解決するための手段】
【０００４】  上記目的を達成するため本考案は、上部が開口された円筒体の中間部分に括れ部２を設けることによって括れ部の上部に浸透材収容部３を形成し、括れ部の下部に香料収容部１を形成し、前記浸透材収容部３に浸透材４を収納し、香料収容部１に液体の香料６を収納し、括れ部２に取付用具５を取り付けたものである。
【考案の効果】
【０００５】  本考案は上記のように構成されているので次のような効果がある。
ａ．容器が指先程度の大きさなのでブーケ等の目立たない部位に取り付けることができるので美観を損ねるようなことがない。
ｂ．下部の香料収容部に香料を貯えられているので、貯えられた香料が浸透材収容部内の浸透材を介して徐々に発散されるので長時間に香りの効果が持続する。
ｃ．容器は円筒状のガラス加熱加工する簡単な製法で作られるので安価に大量に提供できる。
ｄ．各種セレモニーにおいて、終了した後も適度の香りが身辺に漂うので、セレモニーの雰囲気を追憶することができる。
【考案を実施するための最良の形態】
【０００６】  以下本考案の実施の形態をを図面に基づいて説明する。
図１は本考案の斜視図で、図２は本考案の縦断面図、図３は本考案の平面図、図４は本考案の取り付け状態を示した図である。【０００７】  １は上部が開口された円筒体の中間部に括れ部２を設けることによって括れ部の下部に形成された香料収容部で、この香料収容部１内には液体の香料が上方の開口部から注入されるようのなっている。【０００８】  括れ部２は下方の香料収容部１に注入された香料６が制御され、適量が上部の浸透材収容部３内に流入するように設けられたもので、この括れ部２によって容器Ａを逆さにしても香料が一気に流出しないようになっている。【０００９】  上部が開口された円筒体の中間部に括れ部２を設けることによって括れ部の上部に形成された浸透材収容部３は浸透材４が収容されていて、下部の香料収容部１から括れ部２を通って入ってくる香りを更に制御し、香りが長時間平均して容器外に流れ出るようになっている。【００１０】  浸透材４は吸収性、発散性に優れた苔材を利用したもので、括れ部２を通って上昇する香りを吸収し、香りが開口部から長時間平均して発散されるようになっており、又香料収容部１を傾けたり逆さにした際、一気に流れ出ないように設けられた括れ部２を通して出る香料を吸収するようになっている。【００１１】  ５は本考案の香料容器をブーケ等に取り付ける際に使用する取付用具で、特定のものではないが、図面に示すように括れ部２に巻き付けられる細い針金状のものが適当であるが、紐でも取り付けに支障はない。【００１２】  ６は香料収容部１に収容された香料で、各種のセレモニーに適応した香料を各人の好みに従って収容するものであるが、予め複数の容器に各種のセレモニーに見合う香料を入れて用意しておくと便利である。【００１３】  上記のような構造からなる本考案を実際に使用する場合は、生花、造花等のブーケに取付用具５を利用して目立たないように取り付ける。
【実施例】
【００１４】  取付用具は金属線（針金）の代わりに紐、糸を利用しても良く、金属線より取り付け易い特徴がある。
浸透材４は苔材に限らずスポンジ材でも充分香りの吸収発散効果がある。
【図面の簡単な説明】
【００１５】
【図１】  本考案の斜視図
【図２】  本考案の側面図
【図３】  図２におけるＩＩＩ−ＩＩＩ断面図
【図４】  本考案平面図
【符号の説明】
【００１６】１  香料収容部
２  括れ部
３  浸透材収容部
４  浸透材
５  取付用具
６  香料
【図１】
0003107146.tif 000003
【図２】
0003107146.tif 000004
【図３】
0003107146.tif 000005
【図４】
0003107146.tif 000006